(57)【要約】【課題】本発明は、壁面に取り付けられるリモコンの視認性及び美感を向上させることを課題とする。【解決手段】上記課題を解決するため、本発明は、壁面２５に取り付けられるリモコン１であって、発光部１５とリモコン本体２とを備え、前記リモコン本体２の周縁の全周又は一部に沿って前記発光部１５があり、発光部１５を発光させることによりリモコン本体２の周縁近傍の広い範囲を発光させて、リモコン１の視認性及び美感を向上させることを特徴とした。【選択図】図１
2008078983.tif 000002
【特許請求の範囲】
【請求項１】
壁面に取り付けられるリモコンであって、
発光部とリモコン本体とを備え、
前記リモコン本体の周縁の全周又は一部に沿って前記発光部があり、
発光部を発光させることによりリモコン本体の周縁近傍を発光させることができることを特徴とするリモコン。
【請求項２】
リモコン本体の周縁領域が光を透過する透光性部材で形成され、前記透光性部材の内側に前記発光部があり、
発光部を発光させると発光部からの光が前記透光性部材を透過してリモコン本体の周縁領域を発光させることを特徴とする請求項１に記載のリモコン。
【請求項３】
壁面に取り付けられるリモコンであって、
発光部と光の透過が可能な周辺領域を有するリモコン本体とを備え、
前記リモコン本体の内部に前記発光部があり、
発光部が発する光をリモコン本体の内面反射又はリモコン本体の内部に設置された光を反射する反射材によって拡散させて、リモコン本体の周縁領域から光が放出されることを特徴とするリモコン。
【請求項４】
壁面に取り付けられたリモコンの周縁近傍の壁面が前記発光部からの光で照射されることを特徴とする請求項１〜３のいずれかに記載のリモコン。
【請求項５】
対象機器を操作するためのスイッチが配置された操作面と、壁面への取付時に壁面と対向する背面との間にある側面に前記発光部を備え、
前記側面には、前記操作面を拡大するように張り出した張出部が前記発光部よりも操作面側にあり、
前記張出部によって発光部からの光が遮られ、操作面側に光が直接照射されないことを特徴とする請求項４に記載のリモコン。
【請求項６】
対象機器の作動状況に応じて発光部の光の色彩又は明るさを変化させることを特徴とする請求項１〜５のいずれかに記載のリモコン。
【発明の詳細な説明】
【技術分野】
【０００１】
本発明は、壁面に取り付けて対象機器を遠隔操作するリモコンに関するものである。
【背景技術】
【０００２】
従来から、給湯機器又はコージェネレーションシステム等の対象機器を遠隔操作するためのリモコンが、リビングや台所、浴室等の壁面に取り付けられて使用されている。例えば、特許文献１では、操作に不慣れな人でも安心して操作をすることができ、かつ、常に表示したい情報は操作に関わりなく表示することができる給湯器のリモコンが開示されている。
【特許文献１】特開２００５−３１５５１２号公報
【発明の開示】
【発明が解決しようとする課題】
【０００３】
一般にリモコンには液晶表示部等で対象機器が動いていることを示すものが多いが、従来のリモコンでは、壁面に取り付けられたリモコンの正面からでないとスイッチや液晶表示部が配置された操作面を視認しにくく、遠隔操作される対象機器が動いているのか否かが分かりにくかった。
【０００４】
また、リモコンは操作の対象となる機器に比べデザインがおざなりにされがちであるが、対象機器が外付けの給湯機器やコージェネレーションシステム等であれば、使用者の目に触れるのはこれらの機器を操作するリモコンである。そのため、リモコンについても見栄えのよいデザインが望まれる。
【０００５】
そこで本発明は、上記問題点を鑑み、壁面に取り付けられるリモコンの視認性及び美感を向上させることを課題とする。
【課題を解決するための手段】
【０００６】
上記課題を解決するため、請求項１の発明は、壁面に取り付けられるリモコンであって、発光部とリモコン本体とを備え、前記リモコン本体の周縁の全周又は一部に沿って前記発光部があり、発光部を発光させることによりリモコン本体の周縁近傍を発光させることができることを特徴とした。
【０００７】
これにより、リモコンの周縁近傍の広い範囲を発光させることができるため、リモコンの視認性を向上させることができる。
【０００８】
上記請求項１に記載のリモコンは、リモコン本体の周縁領域が光を透過する透光性部材で形成され、前記透光性部材の内側に前記発光部があり、発光部を発光させると発光部からの光が前記透光性部材を透過してリモコン本体の周縁領域を発光させるものであってもよい（請求項２）。
【０００９】
請求項３の発明は、壁面に取り付けられるリモコンであって、発光部と光の透過が可能な周辺領域を有するリモコン本体とを備え、前記リモコン本体の内部に前記発光部があり、発光部が発する光をリモコン本体の内面反射又はリモコン本体の内部に設置された光を反射する反射材によって拡散させて、リモコン本体の周縁領域から光が放出されることを特徴とした。
【００１０】
これにより、発光部に使用される光源の数を少なくすることができるため製造コストを安く抑えることができる。
【００１１】
請求項４の発明は、請求項１〜３のいずれかの発明において、壁面に取り付けられたリモコンの周縁近傍の壁面が前記発光部からの光で照射されることを特徴とした。
【００１２】
これにより、リモコン周縁近傍の壁面が照射されるため、リモコンの大きさ以上の広い範囲を発光させることができ、リモコンの視認性を向上させることができる。また、発光部からの光は一旦壁面に当てられて間接的に視認されるため、光が直接的に視認される場合よりもリモコンに落ち着いた印象を与えることができる。
【００１３】
請求項５の発明は、請求項４の発明において、対象機器を操作するためのスイッチが配置された操作面と、壁面への取付時に壁面と対向する背面との間にある側面に前記発光部を備え、前記側面には、前記操作面を拡大するように張り出した張出部が前記発光部よりも操作面側にあり、前記張出部によって発光部からの光が遮られ、操作面側に光が直接照射されないことを特徴とした。
【００１４】
これにより、使用者によって視認される光は、主として壁面等で反射された間接的な光となるため、本発明に係るリモコンは間接照明に似た効果を奏し、リモコンの美感を向上させることができる。また、使用者には、張出部の厚みがリモコンの厚みとして視認されるため、リモコンの見かけの厚さを薄くすることができ、リモコンの美感を向上させることができる。
【００１５】
請求項６の発明では、請求項１〜５のいずれかの発明において、対象機器の作動状況に応じて発光部の光の色彩又は明るさを変化させることを特徴とした。
【００１６】
これにより、リモコンが発する光の色彩や明るさにより対象機器の作動状況を確認することができる。
【発明の効果】
【００１７】
本発明では、壁面に取り付けられるリモコンの視認性及び美感を向上させることができる。
【発明を実施するための最良の形態】
【００１８】
（第一実施形態）
図１は、本実施形態に係るリモコンを背面側から見た斜視図であり、図２（ａ）は、従来のリモコンの断面図であり、図２（ｂ）は、本実施形態に係るリモコンの断面図であり、図３は、本実施形態に係るリモコンから照射される光の状態を示す断面図である。
【００１９】
本実施形態に係るリモコン１は、台所やリビング、浴室等の壁面２５に取り付けられるものであり、例えば、給湯機器や、ガスエンジン又は燃料電池のコージェネレーションシステム等を遠隔操作の対象機器とするものである。前記リモコン１は、液晶表示部（図示せず）及び各用途に応じたスイッチ（図示せず）が配置された操作面５を備えている。具体的には、給湯設定温度などを調整するスイッチやコージェネレーションシステムを運転状態とする運転スイッチ、発電量を確認するためのスイッチ等が設けられ、対象機器の運転状況や発電量等の種々の情報が液晶表示部に表示される。
これらの液晶表示部やスイッチについては、公知のものと同一であるため、説明を省略する。
【００２０】
リモコン１は、図１に示すようにリモコン本体２と発光部１５とを備えている。
リモコン本体２の外観形状は、図１及び図２（ｂ）に示すように、面積の異なる２枚の板を積み重ねた形状であり、リモコン本体２の周縁は全周にわたって段になっている。すなわち、対象機器を操作するためのスイッチ等が配置された操作面５と、壁面２５への取付時に壁面２５と対向する背面６との間には側面７があり、前記側面７は、背面６側にリモコンの厚みが変化する立上り面８を有しており、操作面５側に前記操作面５を拡大するように張り出した張出部１０を有する。このため、図２（ｂ）に示すように、本実施形態に係るリモコン１では、張出部１０に相当する周縁領域の厚みｈ’は実際の厚みである中央領域の厚みｈよりも薄く、操作面５の面積は背面６の面積よりも大きい。
【００２１】
本実施形態において発光部１５は、図１に示すように複数の光源１６によって構成されており、光源１６としては、一つで赤、緑、青の３色の光を発光することができ、３色それぞれの明るさを変えて様々な色の光を発光させることができるフルカラーＬＥＤ（発光ダイオード）が使用される。本実施形態に係るリモコン１では、リモコン本体２に内蔵された制御部（図示せず）により、対象機器の作動状況に応じて前記光源１６の色彩及び明るさを変化させることができる。
【００２２】
本実施形態に係るリモコン１では、図１に示すようにリモコン本体２の立上り面８に複数の光源１６が所定の間隔毎に並べられており、リモコン本体２の周縁全周にわたって発光部１５を備えている。
【００２３】
本実施形態に係るリモコン１では、光源１６からの光は、図３に示すように、一旦、壁面２５やリモコン本体２の張出部１０で反射されてから、使用者の目に映る。そのため、光源１６からの光は使用者に直接視認されにくく、使用者には壁面２５や張出部１０で反射された柔らかい反射光が視認される。このため、本実施形態に係るリモコン１は、背後から柔らかな反射光によって照らされ、間接照明と同様の落ち着いた印象を使用者に与える。
【００２４】
リモコン１は、台所やリビング、浴槽等の壁面２５に取り付けられて使用される。リモコン１が壁面２５に取り付けられると、リモコン１の周縁が段になっているため、図３に示すように、リモコン１と壁面２５との間には一定の空間１１が形成される。前記空間１１には、リモコン本体２の張出部１０によって影が生じる。このように影を生じさせることにより、光源１６からの光の濃淡をより鮮明にさせることができ、リモコン１に立体感を与えることができる。そして、光源１６からの光によって広い範囲の壁面２５が発光されるため、本実施形態に係るリモコン１は、使用者に対して高い視認性を有する。
【００２５】
ここで、図２（ａ）に示す従来のリモコンのように、壁面２５に取り付けられるリモコンの厚みｈが大きいと使用者に野暮ったい印象を与え、見栄えがよいとは言い難い。しかし、本実施形態に係るリモコン１では、図２（ｂ）に示すように、実際の厚みｈよりも小さいリモコン本体２の張出部１０の厚みｈ’がリモコンの厚みとして使用者に視認される。そのため、リモコン１の見かけ上の厚みを実際よりも薄くすることができ、リモコン１の美感を向上させることができる。
【００２６】
また、本実施形態に係るリモコン１は、図４に示すように、遠隔操作する対象機器の作動状況に応じて発光部１５を発光させることができる。例えば、対象機器がコージェネレーションシステムであれば、運転スイッチがオンモードにある時には緑色の光を発行させ、電力の発電中には黄色の光を発光させるように設定することが可能である。また、給湯、暖房、及び風呂湯水などの設定温度に応じて光の色彩や明るさを無段階に変化させることも可能である。これにより使用者は、対象機器の運転状況を直感的に認識することができる。また、本実施形態に係るリモコン１は、光の色彩や明るさを無段階に変化させることができるため、光の色彩や明るさが急に変化するものではなく、リモコンに落ち着いた印象を与えることができる。
【００２７】
さらに、使用者の好みに応じて光源１６からの光の明るさ、色彩又はこれらの組み合わせの設定を改良することができる構成としてもよいし、時刻やリモコン１の周囲の明るさに応じて光の色彩又は明るさを変化させる構成としてもよい。発光が不要な場合には、光源１６の発光を禁止する構成にすることもできる。
【００２８】
上記実施形態に係るリモコン１は、リモコン本体２の周縁に段を設けて張出部１０が形成されたが、本発明はこのような構成に限られるわけではない。例えば、図５に示すリモコン２２のように従来のリモコンと同様に周縁に張出部１０がない外観形状のリモコン本体２３を用いて、前記リモコン本体２３の周縁である側面に、発光部１５を構成する光源１６を設けることも可能である。
【００２９】
上記実施形態において、発光部１５は、リモコン本体２の周縁の全周にわたって設けられたが、本発明はこのような構成に限られるわけではなく、リモコン本体２の周縁の一部のみに沿って発光部１５を設けてもよい。例えばリモコン本体２の上側面や下側面だけに発光部１５を設ける構成とすることもできる。
【００３０】
上記実施形態では、発光部１５の光源１６としてフルカラーＬＥＤが使用されたが、本発明はこのような構成に限られるわけではない。例えば、白色ＬＥＤの前面に任意の色彩に着色されたフィルタを配設し、そのフィルタを回転させることにより光源１６から発せられる光の色彩を変化させてもよい。
【００３１】
また、上記実施形態のように発光部１５の光源１６としては、省電力かつ長寿命である点からＬＥＤを用いることが望ましいが、電球や有機ＥＬ（ｏｒｇａｎｉｃ  ｅｌｅｃｔｒｏｌｕｍｉｎｅｓｃｅｎｃｅ）等を用いることもできる。
【００３２】
上記実施形態においては、発光部１５として複数のフルカラーＬＥＤを立上り面８に設置したが、本発明はこのような構成に限られるわけではない。例えば、図６に示すリモコン２７のように、リモコン本体２８の周辺領域にある立上り面８又は張出部１０を光の透過が可能な透明部材２９（透明部材２９を明確にするため、透明部材２９のハッチは省略している。）で構成し、リモコン本体２８の内部に光源１６を設置して、前記光源１６が発する光を、リモコン本体２８の内面反射又はリモコン本体２の内部に設置された光を反射する反射材２６によって拡散させて、リモコン本体２８の周縁領域から光を放出させる構成にすることも可能である。これにより、発光部１５に使用される光源１６の数を減らすことができるため製造コストを安く抑えることができる。
【００３３】
（第二実施形態）
次に、第二実施形態について説明する。なお、本実施形態では、第一実施形態と同一部分については同一符号を付して詳しい説明を省略し、異なる部分についてのみ説明する。
【００３４】
図７は、本実施形態に係るリモコン３１を示す斜視図であり、図８は、本実施形態に係るリモコン３１を示す断面図である。
【００３５】
図７に示すように、第二実施形態に係るリモコン３１は、リモコン本体３２の周縁領域を覆う透光性部材３３を有する。透光性部材３３は、半透明の樹脂によって作られている。即ち透光性部材３３の素材は、あたかもすりガラスの様であり、反対側にある物の形状を視認することはできないが、光の透過性はある。透光性部材３３を上記したさまにすりガラス状にするための方策としては、透光性部材３３の表面に細かいすじやしぼを設けるといった物理的な方策の他、樹脂の中に光の拡散材を添加する方策が考えられる。
【００３６】
本実施形態に係るリモコン３１では、図８に示すように、前記透光性部材３３で覆われたリモコン本体３２の周縁領域の内側に光源１６が設置されており、光源１６からの光は透光性部材３３を透過してリモコン３１の外部に発せられる。
【００３７】
これにより、本実施形態に係るリモコン３１は、リモコン本体３２の周縁領域を発光させることができる。また、リモコン本体３２の周縁領域からの光を周縁領域近傍の壁面２５に照射させて、周縁領域近傍の壁面２５も発光させることができるので高い視認性が確保される。さらに、本実施形態に係るリモコン３１は、リモコン本体３２の周縁領域自体を発光させるため、明るい場所にリモコン３１が設置された場合であっても一定の視認性を確保することができる。
【００３８】
図９に示すように、本実施形態に係るリモコン３１にあっては、リモコン本体３２の操作面５上にガラス板やアクリル板などの透明板３５を配置する構成としてもよい。これにより、リモコン本体３２の周辺領域から光が透明板３５の内部を透過して、リモコン本体３２の操作面５を適度に発光させることができる。このためリモコン３１の視認性が向上される。
【００３９】
また、この場合、いわゆる３Ｄレーザークリスタルガラスを透明板３５として用いることが推奨される。３Ｄレーザークリスタルガラスとは、ガラス内部で焦点を結ぶようにレーザー光線を当ててスポット的にガラスを融解させて白い点とし、この白い点を立体的に並べることにより図形や文字等の模様を描いたものである。
【００４０】
リモコン３１の周縁領域を発光させることにより、周縁領域からの光が前記透明板３５の内部を透過してガラス内部の半透明の模様に照射される。これにより前記模様を白く輝くように浮かび上がらせることができ、幻想的な印象をリモコン３１に与え、リモコン３１の美感を向上させることができる。
【００４１】
また、リモコン３１の操作面５をアルミニウム等の金属材で構成することもできる。これにより、リモコン本体３２の周縁領域からの光がリモコンの操作面５で適度に反射されて操作面５を適度に発光させることができる。その結果、リモコン３１の視認性及び美感を向上させることができる。
【図面の簡単な説明】
【００４２】
【図１】第一実施形態に係るリモコンを背面側から見た斜視図である。
【図２】（ａ）は、従来のリモコンの断面図であり、（ｂ）は、第一実施形態に係るリモコンの断面図である。
【図３】第一実施形態に係るリモコンから照射される光の状態を示す断面図である。
【図４】対象機器の作動状況に応じたリモコンの発光状態の一例を示す正面図であり、（ａ）は対象機器が停止している場合、（ｂ）は対象機器が作動している場合、（ｃ）は対象機器が発電している場合をそれぞれ示している。
【図５】第一実施形態に係るリモコンの変形例を示す断面図である。
【図６】第一実施形態に係るリモコンの変形例を示す断面図である。
【図７】第二実施形態に係るリモコンを示す斜視図である。
【図８】第二実施形態に係るリモコンを示す断面図である。
【図９】第二実施形態に係るリモコンの変形例を示す斜視図である。
【符号の説明】
【００４３】
１，２２，２７，３１  リモコン
２，２３，２８，３２  リモコン本体
５    操作面
６    背面
１０  張出部
１５  発光部
２５  壁面
３３  透光性部材
【図１】
2008078983.tif 000003
【図２】
2008078983.tif 000004
【図３】
2008078983.tif 000005
【図４】
2008078983.tif 000006
【図５】
2008078983.tif 000007
【図６】
2008078983.tif 000008
【図７】
2008078983.tif 000009
【図８】
2008078983.tif 000010
【図９】
2008078983.tif 000011